(57)【要約】【課題】情報提供に際して外部のサーバへの依存度を小さくして、外部のサーバおよびＡＳＰサービスの利用に要するコストの低減を図ることができるとともに、各種情報を情報提供者の端末上の別なアプリケーション・プログラムで活用することを可能にする情報供給システムおよび情報供給方法を提供する。【解決手段】情報提供側の端末３は、各種情報を記憶し、自己のＩＰアドレスが添付されたファイルをサーバ２に送信する。サーバ２は、送信されたファイルを取得し、取得したファイルを記憶する。情報受給側の端末４からの要求に応じて、記憶されたファイルを送信し、情報受給側の端末４からの要求に応じて、ファイルに添付されたＩＰアドレスを送信する。情報受給側の端末４は、送信されたファイルを取得し、送信されたファイルに添付されたＩＰアドレスを取得する。取得されたＩＰアドレスに基づいて、各種情報を情報提供側の端末３から取得する。【選択図】図１
2004046523.tif 000002
【特許請求の範囲】
【請求項１】
コンピュータネットワークを介して各種情報の供給を行う情報供給システムであって、
情報提供者のＩＰアドレスが添付されたファイルを前記情報提供者から取得するファイル取得手段と、
前記ファイル取得手段で取得したファイルを記憶するファイル記憶手段と、
情報受給者からの要求に応じて、前記ファイル記憶手段に記憶されたファイルを送信するファイル送信手段と、
前記情報受給者からの要求に応じて、前記ファイル記憶手段に記憶されたファイルに添付された前記ＩＰアドレスを送信するＩＰアドレス送信手段とを、
有することを特徴とする情報供給システム。
【請求項２】
コンピュータネットワークを介して相互に交信が可能なサーバと、情報提供側端末と、情報受給側端末とを含み、
前記情報提供側端末は、各種情報を記憶する情報記憶手段と、
自己のＩＰアドレスが添付されたファイルを前記サーバに送信する提供側ファイル送信手段とを有し、
前記サーバは、前記提供側ファイル送信手段で送信されたファイルを取得するサーバ側ファイル取得手段と、
前記サーバ側ファイル取得手段で取得したファイルを記憶するファイル記憶手段と、
前記情報受給側端末からの要求に応じて、前記ファイル記憶手段に記憶されたファイルを送信するサーバ側ファイル送信手段と、
前記情報受給側端末からの要求に応じて、前記ファイル記憶手段に記憶されたファイルに添付された前記ＩＰアドレスを送信するＩＰアドレス送信手段とを有し、
前記情報受給側端末は、前記サーバ側ファイル送信手段で送信されたファイルを取得する受給側ファイル取得手段と、
前記受給側ファイル送信手段で送信されたファイルに添付された前記ＩＰアドレスを取得するＩＰアドレス取得手段と、
前記ＩＰアドレス取得手段で取得されたＩＰアドレスに基づいて、前記情報記憶手段に記憶された各種情報を前期情報提供側端末から取得する情報取得手段とを、
有することを特徴とする情報供給システム。
【請求項３】
コンピュータネットワークを介して各種情報の供給を行う情報供給方法であって、
情報提供者のＩＰアドレスが添付されたファイルを前記情報提供者から取得するファイル取得ステップと、
前記ファイル取得ステップで取得したファイルをファイル記憶手段に記憶するファイル記憶ステップと、
情報受給者からの要求に応じて、前記ファイル記憶手段に記憶されたファイルを送信するファイル送信ステップと、
前記情報受給者からの要求に応じて、前記ファイル記憶手段に記憶されたファイルに添付された前記ＩＰアドレスを送信するＩＰアドレス送信ステップとを、
有することを特徴とする情報供給方法。
【請求項４】
コンピュータネットワークを介して各種情報の供給を行うプログラムであって、
情報提供者のＩＰアドレスが添付されたファイルを前記情報提供者から取得するファイル取得手段と、
前記ファイル取得手段で取得したファイルを記憶するファイル記憶手段と、
情報受給者からの要求に応じて、前記ファイル記憶手段に記憶されたファイルを送信するファイル送信手段と、
前記情報受給者からの要求に応じて、前記ファイル記憶手段に記憶されたファイルに添付された前記ＩＰアドレスを送信するＩＰアドレス送信手段として、
コンピュータを機能させるためのプログラム。
【発明の詳細な説明】
【０００１】
【発明の属する技術分野】
本発明は、インターネットなどのコンピュータネットワークを介して各種情報の供給を行う情報供給システムおよび情報供給方法に関する。
【０００２】
【従来の技術】
従来のコンピュータネットワークを介した情報提供システムとして、図１０に示すものが知られている。すなわち、情報提供者の端末コンピュータ３から外部に設けられたサーバ２に各種情報とその情報を紹介するホームページなどのファイルとを送信し、サーバ２にその各種情報とファイルとを記憶させる。サーバ２は、その各種情報とファイルに基づき、ホームページなどをインターネット１の上で公開する。サーバ２に接続した情報受給者の端末コンピュータ４でホームページを参照し、必要に応じてサーバ２内の各種情報を取得することができる。このように、従来の情報提供システムでは、情報提供者の端末コンピュータ３と情報受給者の端末コンピュータ４とは、外部のサーバ２を介して情報のやりとりを行うようになっている。
【０００３】
【発明が解決しようとする課題】
しかしながら、従来の情報提供システムでは、情報提供者が提供する各種情報を外部のサーバに記憶させておく必要があるため、外部のサーバの利用に要するコストが嵩むという課題があった。また、従来の情報提供システムでは、各種情報が外部のサーバに記憶されているため、その情報を情報提供者の端末上の別なアプリケーション・プログラムで活用することができない。このため、外部のサーバのＡＳＰサービスなどを利用しなければならず、そのサービスを利用するための費用が嵩むという課題があった。
【０００４】
本発明は、このような従来の課題に着目してなされたもので、情報提供に際して外部のサーバへの依存度を小さくして、外部のサーバおよびＡＳＰサービスの利用に要するコストの低減を図ることができるとともに、各種情報を情報提供者の端末上の別なアプリケーション・プログラムで活用することを可能にする情報供給システムおよび情報供給方法を提供することを目的としている。
【０００５】
【課題を解決するための手段】
上記目的を達成するために、本発明に係る情報供給システムは、コンピュータネットワークを介して各種情報の供給を行う情報供給システムであって、情報提供者のＩＰアドレスが添付されたファイルを前記情報提供者から取得するファイル取得手段と、前記ファイル取得手段で取得したファイルを記憶するファイル記憶手段と、情報受給者からの要求に応じて、前記ファイル記憶手段に記憶されたファイルを送信するファイル送信手段と、前記情報受給者からの要求に応じて、前記ファイル記憶手段に記憶されたファイルに添付された前記ＩＰアドレスを送信するＩＰアドレス送信手段とを、有することを特徴とする。
【０００６】
本発明に係る情報供給システムは、コンピュータネットワークを介して相互に交信が可能なサーバと、情報提供側端末と、情報受給側端末とを含み、前記情報提供側端末は、各種情報を記憶する情報記憶手段と、自己のＩＰアドレスが添付されたファイルを前記サーバに送信する提供側ファイル送信手段とを有し、前記サーバは、前記提供側ファイル送信手段で送信されたファイルを取得するサーバ側ファイル取得手段と、前記サーバ側ファイル取得手段で取得したファイルを記憶するファイル記憶手段と、前記情報受給側端末からの要求に応じて、前記ファイル記憶手段に記憶されたファイルを送信するサーバ側ファイル送信手段と、前記情報受給側端末からの要求に応じて、前記ファイル記憶手段に記憶されたファイルに添付された前記ＩＰアドレスを送信するＩＰアドレス送信手段とを有し、
前記情報受給側端末は、前記サーバ側ファイル送信手段で送信されたファイルを取得する受給側ファイル取得手段と、前記受給側ファイル送信手段で送信されたファイルに添付された前記ＩＰアドレスを取得するＩＰアドレス取得手段と、前記ＩＰアドレス取得手段で取得されたＩＰアドレスに基づいて、前記情報記憶手段に記憶された各種情報を前期情報提供側端末から取得する情報取得手段とを、有することを特徴とする。
【０００７】
本発明に係る情報供給方法は、コンピュータネットワークを介して各種情報の供給を行う情報供給方法であって、情報提供者のＩＰアドレスが添付されたファイルを前記情報提供者から取得するファイル取得ステップと、前記ファイル取得ステップで取得したファイルをファイル記憶手段に記憶するファイル記憶ステップと、情報受給者からの要求に応じて、前記ファイル記憶手段に記憶されたファイルを送信するファイル送信ステップと、前記情報受給者からの要求に応じて、前記ファイル記憶手段に記憶されたファイルに添付された前記ＩＰアドレスを送信するＩＰアドレス送信ステップとを、有することを特徴とする。
【０００８】
本発明に係るプログラムは、コンピュータネットワークを介して各種情報の供給を行うプログラムであって、情報提供者のＩＰアドレスが添付されたファイルを前記情報提供者から取得するファイル取得手段と、前記ファイル取得手段で取得したファイルを記憶するファイル記憶手段と、情報受給者からの要求に応じて、前記ファイル記憶手段に記憶されたファイルを送信するファイル送信手段と、前記情報受給者からの要求に応じて、前記ファイル記憶手段に記憶されたファイルに添付された前記ＩＰアドレスを送信するＩＰアドレス送信手段として、コンピュータを機能させる。
【０００９】
情報提供者が自己のＩＰアドレスを取得する手段としては、あらかじめ取得しておく方法やコンピュータネットワークに接続するたびに取得する方法などあるが、いずれの方法を用いてもよい。
【００１０】
本発明に係る情報供給システムおよび情報供給方法では、情報提供者が自己のＩＰアドレスが添付されたホームページなどのファイルをサーバに送信し、サーバがそのファイルを記憶してコンピュータネットワーク上にホームページなどのファイルを公開する。情報受給者はそのファイルを参照して情報提供者のＩＰアドレスを取得し、そのＩＰアドレスに基づいて情報提供者に直接接続する。これにより、サーバを介することなく、情報提供者の端末に記憶された各種情報を得ることができる。なお、ＩＰアドレスは、指定から一定時間経過後に変更するようになっていてもよい。この場合、所定時間ごとにＩＰアドレスが変更されたかどうかを確認し、ＩＰアドレスが変更されていた場合には、変更後のＩＰアドレスが添付されたホームページなどのファイルをサーバに送信することが好ましい。
【００１１】
このように構成された情報供給システムおよび情報供給方法は、情報提供者が提供する各種情報を、外部のサーバに送信し記憶させる必要はなく、情報提供者の端末に記憶させておくだけで情報受給者と直接情報のやりとりを行うことができる。このため、情報提供に際して外部のサーバへの依存度を小さくして、外部のサーバおよびＡＳＰサービスの利用に要するコストの低減を図ることができる。また、各種情報を情報提供者の端末上の別なアプリケーション・プログラムで活用することが可能となる。
【００１２】
【発明の実施の形態】
図１乃至図９を参照して、本発明に係る情報供給システムおよび情報供給方法の実施の形態について説明する。
【００１３】
インターネット１などのコンピュータネットワークには、電話回線などを経由してサーバ２および多数の端末コンピュータ３，４が接続される。サーバ（サーバコンピュータ）２および端末コンピュータ３，４は、それぞれ、ＣＰＵにより構成される制御手段、プログラムを記憶したハードディスクメモリ、各種ファイルを記憶したメモリ、キーボードやマウスなどの入力手段、モニタやプリンタなどの出力手段および通信手段を有している。
【００１４】
ここで、図１に示すように、サーバ２には、各種情報の情報提供者であるデータベース・システムのサービス提供者の端末（端末コンピュータ）３と、情報受給者であるデータベース利用者の端末４とが、インターネット１を介して接続されている。なお、各種情報が記憶されたデータベースは、パソコン（パーソナル・コンピュータ）から成るサービス提供者の端末３内に記憶されている。
【００１５】
図２に示すように、サーバ２は、主制御部１１と、入力制御手段１２と、出力制御手段１３と、ファイル記憶手段１４と、ＩＰアドレス記憶手段１５とをコンピュータの機能として有している。
【００１６】
主制御部１１は、ＣＰＵ等から構成され、各部の制御や、データの転送、種々の演算等を行う。入力制御手段１２は、インターネット１を介して接続された端末から入力されるデータを制御する。出力制御手段１３は、インターネット１を介して接続された端末に出力されるデータを制御する。
【００１７】
ファイル記憶手段１４は、ＨＴＭＬや画像ファイルや動画ファイルなどから構成されるホームページのファイルが記憶してある。ＩＰアドレス記憶手段１５は、ホームページ内に添付されたサービス提供者の端末３のＩＰアドレスが記憶してある。
【００１８】
次に、図３を参照して、インターネットショップで買物をする場合を例に挙げて説明する。情報提供者の端末３としてインターネットショップ経営者のパソコンと、情報受給者の端末４としてインターネットショップ利用者であるインターネット買物客の端末とが、インターネット１に接続している。以下、情報供給システムの処理手順について説明する。
【００１９】
まず、図４に示すように、情報提供者であるインターネットショップ経営者が、情報供給システムを利用するためのアプリケーション・プログラムの媒体をＣＤドライブへ挿入し（ステップ４１）、自己の端末３にインストールする（ステップ４２）。
【００２０】
図５に示すように、インターネットショップ経営者の端末３において、インストールされたアプリケーション・プログラムを起動すると（ステップ５１）、自己の端末３がインターネット１に接続されている状態かどうかを判断する（ステップ５２）。インターネット１に接続されていない場合、アプリケーション・プログラムの持つ情報供給システムを外部へ提供できない旨を表示する（ステップ５３）。インターネット１に接続されている場合、自己の端末３に割り振られたＩＰアドレスを取得し、その内容が書かれたホームページのＨＴＭＬファイルをサーバ２へファイル転送する（ステップ５４）。なお、ホームページには、商品画像やその説明文などが記載されており、ボタンや文字をクリックすることにより情報供給システムを動作させることができるようになっている。サーバ２では、主制御部１１が入力制御手段１２を介してホームページのファイルを取得し、ファイル記憶手段１４に記憶するとともに、ホームページを公開する。また、ホームページに書かれたＩＰアドレスは、ＩＰアドレス記憶手段１５に記憶する。
【００２１】
次に、図６に示すように、情報受給者であるインターネットショップの利用者（閲覧者）の端末４により、インターネット１を介してサーバ２に接続し、インターネットショップのホームページにアクセスする（ステップ６１）。サーバ２では、主制御部１１が入力制御手段１２を介してアクセスを検知し、ファイル記憶手段１４からホームページのファイルを呼び出す。さらに、出力制御手段１３を介して利用者の端末４にファイルを送信し、利用者の端末４に商品画像や説明文などのホームページを表示する（ステップ６２）。利用者の端末４がボタンのクリックなど画面に対して操作を行いながら、ホームページを閲覧し、商品の選定などを行う（ステップ６３）。
【００２２】
情報供給システムを動作させる目的でリンクを貼った買い物かごボタンを利用者の端末４でクリックした場合（ステップ６３）、主制御部１１が入力制御手段１２を介してその信号を検知し、ＩＰアドレス記憶手段１５に記憶されているインターネットショップ経営者の端末３のＩＰアドレスを呼び出す。さらに、主制御部１１はそのＩＰアドレスを参照し、出力制御手段１３を介してインターネットショップ経営者の端末３のアプリケーション・プログラムを起動する（ステップ６４）。その一方で、主制御部１１はＩＰアドレスをホームページに含め、出力制御手段１３を介して利用者の端末４に情報を表示する。
【００２３】
インターネットショップ経営者の端末３では、アプリケーション・プログラムが起動し、利用者の端末４で選択した商品の情報などをプログラム内に保存する（ステップ６５）。一方、インターネットショップの利用者の端末４で、ホームページを参照して決済へ移るボタンをクリックすると、ＩＰアドレスに基づいてインターネットショップ経営者の端末３に接続する（ステップ６６）。インターネットショップ経営者の端末３では、利用者の端末４からの直接の信号に基づいて、決済入力フォーム画面を転送し、利用者の端末４に表示させる（ステップ６７）。利用者の端末４で、モニタ画面に基づいて、住所、氏名などを入力し、注文ボタンをクリックする（ステップ６８）。インターネットショップ経営者の端末３では、入力された利用者の住所、氏名などの顧客情報や、商品の注文情報をデータベースに書き込む（ステップ６９）。さらに、注文が受け付けられた旨を利用者の端末４に表示して、利用者との接続を終了する（ステップ７０）。
【００２４】
図６に示す処理のうち閲覧者の操作フローを図７に、サーバ側フローを図８に示す。図７に示すように、利用者がホームページへアクセスすると（ステップ７１）、ホームページを表示し（ステップ７２）、利用者がボタンのクリックなどを画面に対して操作すると（ステップ７３）、システムを利用したサービスかどうかを判断し（ステップ７４）、システムを利用したサービスの場合には、パソコンのアプルケーション・プログラム内にあるシステムが起動し、情報をパソコンに保存し、または利用者へ情報を提供する（ステップ７５）。システムを利用したサービスでない場合には、画面の遷移、メールソフトの起動などを行なう（ステップ７５）。
【００２５】
図８に示すように、サーバ２の側からみたとき、利用者がサーバ２へアクセスすると（ステップ８１）、利用者がシステムを利用するか否か判断し（ステップ８２）、利用する場合、ＩＰアドレスファイルからシステム提供者のパソコンのＩＰアドレスを取得し、それをＨＴＭＬに含めて利用者に返す（ステップ８３）。システムを利用しない場合、通常のＨＴＭＬ、画像などの表示を行なう（ステップ８４）。
【００２６】
この情報供給システムおよび情報供給方法では、情報受給者の端末４が情報提供者の端末３に直接接続することができるため、サーバ２を介することなく、情報提供者の端末３に記憶された各種情報を得ることができる。また、情報提供者の端末３が提供する各種情報を、外部のサーバ２に送信し記憶させる必要がないため、情報提供に際して外部のサーバ２への依存度を小さくして、外部のサーバ２およびＡＳＰサービスの利用に要するコストの低減を図ることができる。また、各種情報を情報提供者の端末３上の別なアプリケーション・プログラムで活用することが可能となる。
【００２７】
なお、情報受給者の端末４は、パソコンのほか、携帯電話、ＰＤＡ、テレビジョン機能内蔵コンピュータなど、ＩＰアドレスが一時的にでも割り振られるものであればいかなる端末コンピュータであってもよい。すなわち、常にグローバルＩＰアドレス（インターネット上の固定のＩＰアドレス）が割り振られているサーバに、動的なＩＰアドレスを置けば、インターネットに接続されているものであれば、どんな端末でもそれら端末が持つシステムの外部提供が可能となる。
【００２８】
【発明の効果】
本発明によれば、情報提供に際して外部のサーバへの依存度を小さくして、外部のサーバおよびＡＳＰサービスの利用に要するコストの低減を図ることができるとともに、各種情報を情報提供者の端末上の別なアプリケーション・プログラムで活用することが可能となる。
【図面の簡単な説明】
【図１】本発明の実施の形態の情報供給システムの全体構成を示す説明図である。
【図２】図１に示す情報供給システムのサーバの構成を示すブロック図である。
【図３】図１に示す情報供給システムのインターネットショップにおける利用例を示す説明図である。
【図４】図１に示す情報供給システムのアプリケーションのインストールの動作を示すフローチャートである。
【図５】図１に示す情報供給システムのアプリケーション起動時の動作を示すフローチャートである。
【図６】図１に示す情報供給システムのインターネットショップの動作を示すフローチャートである。
【図７】図１に示す情報供給システムのアプリケーションによるサービス提供時の動作を示すフローチャートである。
【図８】図１に示す情報供給システムの利用者によるアクセスの動作を示すフローチャートである。
【図９】図１に示す情報供給システムのＩＰアドレスの移動を示す説明図である。
【図１０】従来の情報供給システムを示す説明図である。
【符号の説明】
１　インターネット
２　サーバ
３　情報提供者の端末
４　情報受給者の端末
１１　主制御部
１２　入力制御手段
１３　出力制御手段
１４　ファイル記憶手段
１５　ＩＰアドレス記憶手段
【図１】
2004046523.tif 000003
【図２】
2004046523.tif 000004
【図３】
2004046523.tif 000005
【図４】
2004046523.tif 000006
【図５】
2004046523.tif 000007
【図６】
2004046523.tif 000008
【図７】
2004046523.tif 000009
【図８】
2004046523.tif 000010
【図９】
2004046523.tif 000011
【図１０】
2004046523.tif 000012